(57)【要約】【課題】字幕情報を用いることなく、放送番組の所望の出演者の音声に対してだけ音声調整を行う。【解決手段】音声調整装置１は、放送信号に含まれる音声信号の中から番組の全出演者の声紋データを検出する声紋検出部２と、特定の出演者の名前が関連付けられた声紋データを登録する声紋登録部３と、特定の出演者の音声信号にのみ音声調整を行うように指示する音声調整指示部４と、音声調整指示部４による指示に応じて、声紋検出部２で検出される全出演者の声紋データと声紋登録部３で登録された特定の出演者の声紋データとを比較し、声紋データが一致する音声信号を出力する声紋比較部５と、声紋比較部５から出力された音声信号に対してのみ音声調整を行う第１の音声調整部６とを備える。【選択図】図１
2013121096.tif 000002
【特許請求の範囲】
【請求項１】
番組の放送信号に含まれる音声信号の調整を行う音声調整装置であって、
前記放送信号に含まれる音声信号の中から番組の全出演者の音声特徴量を検出する音声特徴量検出部と、特定の出演者の名前が関連付けられた音声特徴量を登録する音声特徴量登録部と、前記音声特徴量検出部で検出された全出演者の音声特徴量と前記音声特徴量登録部で登録された前記特定の出演者の音声特徴量とを比較し、音声特徴量が一致する音声信号を出力する音声特徴量比較部と、該音声特徴量比較部から出力された音声信号に対してのみ音声調整を行う音声調整部とを備えたことを特徴とする音声調整装置。
【請求項２】
請求項１に記載の音声調整装置において、前記特定の出演者の音声信号にのみ音声調整を行うように指示する音声調整指示部を備え、前記音声特徴量比較部は、前記音声調整指示部による指示に応じて、前記比較を行うことを特徴とする音声調整装置。
【請求項３】
請求項１または２に記載の音声調整装置において、前記音声特徴量検出部で検出された全出演者の音声特徴量の中から前記特定の出演者の音声特徴量を選択させるための選択画面を表示させ、該選択画面により選択された音声特徴量を前記特定の出演者の名前に関連付ける関連付け設定部を備え、前記音声特徴量登録部は、前記関連付け設定部により前記特定の出演者の名前が関連付けられた音声特徴量を登録することを特徴とする音声調整装置。
【請求項４】
請求項１〜３のいずれか１項に記載の音声調整装置において、前記音声特徴量は、声紋データであることを特徴とする音声調整装置。
【請求項５】
請求項１〜４のいずれか１項に記載の音声調整装置において、前記音声調整部は、前記音声特徴量比較部から出力された音声信号に対して音量および／または音質を調整することを特徴とする音声調整装置。
【請求項６】
請求項１〜５のいずれか１項に記載の音声調整装置において、前記音声調整部で音声調整された前記特定の出演者の音声信号に応じた音声のみを出力する音声出力部を備えたことを特徴とする音声調整装置。
【請求項７】
請求項１〜５のいずれか１項に記載の音声調整装置において、前記音声調整部に入力される前の前記特定の出演者の音声信号と前記音声調整部で音声調整された後の前記特定の出演者の音声信号との差分信号を算出する差分信号算出部と、該差分信号算出部で算出された差分信号と前記放送信号に含まれる音声信号とを合成する音声合成部と、該音声合成部で合成された音声信号に応じた音声を出力する音声出力部とを備えたことを特徴とする音声調整装置。
【請求項８】
請求項１〜７のいずれか１項に記載の音声調整装置を備えたデジタル放送受信装置。
【発明の詳細な説明】
【技術分野】
【０００１】
本発明は、音声調整装置およびデジタル放送受信装置に関し、より詳細には、放送番組における特定の出演者の音声を抽出し、抽出した音声のみを調整する音声調整装置および該装置を備えたデジタル放送受信装置に関する。
【背景技術】
【０００２】
近年、デジタルテレビジョン放送を視聴する環境として、５．１チャンネルスピーカなどを用いた音声の高音質化、サラウンド化が普及している。しかしながら、音声再生技術の発達と共に、アナウンサの声や出演者の台詞などといった実際の登場人物が発している声が聞き取りにくくなる状況が発生している。例えば、番組の背景に流れる周囲の歓声などに遮られ、アナウンサの声が聞こえにくくなる場合があった。
【０００３】
これに対して、例えば、特許文献１には、現在の場面に登場する話者が発する音声を聞き取り易くしたデジタル放送受信装置が記載されている。このデジタル放送受信装置は、音声信号と字幕情報とを抽出し、抽出した字幕情報に基づいて、受信した音声信号のうち、現在の場面で登場する登場人物が発していると推定される音声信号部分を抽出し、抽出した音声信号部分の音量および／または音質を調整するように構成されている。
【先行技術文献】
【特許文献】
【０００４】
【特許文献１】特開２００６−９３９１８号公報
【発明の概要】
【発明が解決しようとする課題】
【０００５】
しかしながら、上記特許文献１に記載された技術では、放送信号に字幕情報が含まれていない場合に、現在の場面で登場する登場人物が発している音声信号を抽出することはできない。近年では字幕放送に対応している番組は増えているがまだ十分ではないため、そのような字幕未対応番組については現在の場面で登場する登場人物が発する音声を抽出することはできない。
【０００６】
本発明は、上述のような実情に鑑みてなされたもので、字幕情報を用いることなく、放送番組の所望の出演者の音声に対してだけ音声調整を行うことができる音声調整装置および該装置を備えたデジタル放送受信装置を提供すること、を目的とする。
【課題を解決するための手段】
【０００７】
上記課題を解決するために、本発明の第１の技術手段は、番組の放送信号に含まれる音声信号の調整を行う音声調整装置であって、前記放送信号に含まれる音声信号の中から番組の全出演者の音声特徴量を検出する音声特徴量検出部と、特定の出演者の名前が関連付けられた音声特徴量を登録する音声特徴量登録部と、前記音声特徴量検出部で検出された全出演者の音声特徴量と前記音声特徴量登録部で登録された前記特定の出演者の音声特徴量とを比較し、音声特徴量が一致する音声信号を出力する音声特徴量比較部と、該音声特徴量比較部から出力された音声信号に対してのみ音声調整を行う音声調整部とを備えたことを特徴としたものである。
【０００８】
第２の技術手段は、第１の技術手段において、前記特定の出演者の音声信号にのみ音声調整を行うように指示する音声調整指示部を備え、前記音声特徴量比較部は、前記音声調整指示部による指示に応じて、前記比較を行うことを特徴としたものである。
【０００９】
第３の技術手段は、第１または第２の技術手段において、前記音声特徴量検出部で検出された全出演者の音声特徴量の中から前記特定の出演者の音声特徴量を選択させるための選択画面を表示させ、該選択画面により選択された音声特徴量を前記特定の出演者の名前に関連付ける関連付け設定部を備え、前記音声特徴量登録部は、前記関連付け設定部により前記特定の出演者の名前が関連付けられた音声特徴量を登録することを特徴としたものである。
【００１０】
第４の技術手段は、第１〜第３のいずれか１の技術手段において、前記音声特徴量は、声紋データであることを特徴としたものである。
【００１１】
第５の技術手段は、第１〜第４のいずれか１の技術手段において、前記音声調整部は、前記音声特徴量比較部から出力された音声信号に対して音量および／または音質を調整することを特徴としたものである。
【００１２】
第６の技術手段は、第１〜第５のいずれか１の技術手段において、前記音声調整部で音声調整された前記特定の出演者の音声信号に応じた音声のみを出力する音声出力部を備えたことを特徴としたものである。
【００１３】
第７の技術手段は、第１〜第５のいずれか１の技術手段において、前記音声調整部に入力される前の前記特定の出演者の音声信号と前記音声調整部で音声調整された後の前記特定の出演者の音声信号との差分信号を算出する差分信号算出部と、該差分信号算出部で算出された差分信号と前記放送信号に含まれる音声信号とを合成する音声合成部と、該音声合成部で合成された音声信号に応じた音声を出力する音声出力部とを備えたことを特徴としたものである。
【００１４】
第８の技術手段は、第１〜第７のいずれか１の技術手段における音声調整装置を備えたデジタル放送受信装置である。
【発明の効果】
【００１５】
本発明によれば、所望の出演者の名前が関連付けられた音声特徴量（声紋など）を登録しておき、放送番組の音声信号から検出される全出演者の音声特徴量と所望の出演者の音声特徴量とを比較し、音声特徴量が一致する音声信号だけを抽出することができるため、字幕情報を用いることなく、放送番組の所望の出演者の音声に対してだけ音声調整を行うことができる。
【図面の簡単な説明】
【００１６】
【図１】本発明の一実施形態に係る音声調整装置の要部構成例を示すブロック図である。
【図２】関連付け設定部により特定の出演者名と声紋データとを関連付ける方法の一例を説明するための図である。
【図３】音声調整対象リストの一例を示す図である。
【図４】音声調整用メニューの一例を示す図である。
【図５】本発明の音声調整装置による声紋データと特定出演者名との関連付け方法の一例を説明するためのフロー図である。
【図６】本発明の音声調整装置による特定出演者の音声調整方法の一例を説明するためのフロー図である。
【発明を実施するための形態】
【００１７】
以下、添付図面を参照しながら、本発明の音声調整装置および該装置を備えたデジタル放送受信装置に係る好適な実施の形態について説明する。
【００１８】
図１は、本発明の一実施形態に係る音声調整装置の要部構成例を示すブロック図で、図中、１は音声調整装置を示す。音声調整装置１は、声紋検出部２、声紋登録部３、音声調整指示部４、声紋比較部５、第１の音声調整部６、音声出力部７、関連付け設定部８、差分信号算出部９、音声合成部１０、第２の音声調整部１１、およびリモコン信号受信部１２を備える。リモコン信号受信部１２は、ユーザがリモコンＲを操作することによりリモコンＲから送信される各種のリモコン（操作）信号を受信する。
【００１９】
本発明の主たる目的は、字幕情報を用いることなく、放送番組の所望の出演者の音声に対してだけ音声調整を行うことができるようにすることにある。このための構成として、音声調整装置１は、放送信号に含まれる音声信号の中から番組の全出演者の音声特徴量を検出する音声特徴量検出部と、特定の出演者の名前が関連付けられた音声特徴量を登録する音声特徴量登録部と、音声特徴量検出部で検出された全出演者の音声特徴量と音声特徴量登録部で登録された特定の出演者の音声特徴量とを比較し、音声特徴量が一致する音声信号を出力する音声特徴量比較部と、音声特徴量比較部から出力された音声信号に対してのみ音声調整を行う音声調整部とを備える。
【００２０】
上記構成により、リモコン操作等によって直感的に、所望の出演者の音声だけを好みの音質に調整したり、聴き取り易くしたりすることを可能とし、ユーザの趣味嗜好に合った音声調整を行うことができる。また、例えば、難聴者のために、特定の出演者の音声の音量のみを大きくして聴き取り易くするといった使い方もすることができる。
【００２１】
本実施形態では、音声特徴量の一例として声紋データを例示して説明するが、これに限定されるものではない。また、この音声調整装置１を備えたデジタル放送受信装置の形態としてもよい。デジタル放送受信装置は、デジタル放送信号を受信するデジタルチューナと、液晶ディスプレイ等の表示部とを備えており、具体的には液晶テレビとして例示することができる。この場合、図示しないデジタルチューナで受信した放送信号をデコードすることにより映像信号、音声信号、およびメタデータなどが抽出され、音声データおよびメタデータが音声調整装置１に入力される。なお、図１の例では、第１の音声調整部６と第２の音声調整部１１とを区別して記載しているが、１つの音声調整部として構成するようにしてもよい。
【００２２】
図１において、声紋検出部２は、本発明の音声特徴量検出部に相当し、放送信号に含まれる音声信号の中から番組の全出演者の声紋を検出する。この声紋検出を行なうタイミングとしては、例えば、ユーザがリモコンＲの所定の操作ボタンを押下したとき、あるいは、予め定められた時間間隔で自動的に行うようにしてもよい。なお、声紋とは、人間の声を分析し、特徴を抽出したパターンのことで、個人の識別に一般的に利用されている。人間の声は様々な周波数の音波の集まりで構成されており、時間、周波数、強度をグラフ化することができる。このグラフは指紋のように人それぞれ異なった特徴的なパターンを描くために「声紋」と呼ばれている。そして、この声紋検出技術は公知の技術であるため、ここでの具体的な説明は省略するが、ＦＦＴ（高速フーリエ変換）等により得られる周波数分析結果を利用すればよい。
【００２３】
また、声紋登録部３は、本発明の音声特徴量登録部に相当し、特定の出演者の名前が関連付けられた声紋データを登録する。ここでは、関連付け設定部８を用いて、特定の出演者の名前と声紋データとを関連付ける場合について説明する。すなわち、関連付け設定部８は、声紋検出部２で検出された全出演者の声紋データの中から特定の出演者の声紋データを選択させるための選択画面を表示させ、選択画面により選択された声紋データを特定の出演者の名前に関連付ける。そして、声紋登録部３は、関連付け設定部８により特定の出演者の名前が関連付けられた声紋データを登録する。なお、例えば、外部サーバ等から、特定の出演者の名前が関連付けられた声紋データを取得できる場合には、外部サーバ等から取得するようにしてもよい。この場合、音声調整装置１は、ネットワークを介して外部サーバに接続するためのネットワークインタフェース（図示せず）を備え、上記の関連付け設定部８を不要とすることができる。
【００２４】
図２は、関連付け設定部８により特定の出演者名と声紋データとを関連付ける方法の一例を説明するための図である。まず、ユーザがある放送番組を視聴しているときに、リモコンＲ（図１）を操作して、特定の出演者名と声紋データとの関連付けを指示すると、関連付け設定部８は、この関連付け指示に応じて、声紋検出部２で検出された全出演者の声紋データ（ここでは、声紋データ１ａ〜４ａ）を取得する。そして、取得した全出演者の声紋データ１ａ〜４ａのリストを図２（Ａ）に示すような声紋リスト２０として表示部（図示せず）にＯＳＤ（On Screen Display）により表示させる。この声紋リスト２０のＯＳＤ画面は本発明の選択画面に相当する。
【００２５】
図２（Ａ）に示す声紋リスト２０は、ユーザが現在視聴している番組に出演している不特定多数の出演者の声紋データ１ａ〜４ａのリストである。この不特定多数の出演者の声紋データ１ａ〜４ａは視聴中の放送番組の音声データから声紋検出部２により検出される。そして、声紋リスト２０には、選択欄２１、再生ボタン２２、および出演者名入力ボタン２３が表示される。ユーザは、声紋リスト２０を見ただけでは、どの声紋データがどの出演者のものであるか特定することはできない。そこで、声紋リスト２０にリストアップされた声紋データ１ａ〜４ａの音声を順番にあるいはランダムに再生し、ユーザがこの再生音声を聞くことで所望の出演者の声紋データを特定する。
【００２６】
具体的には、ユーザはリモコンＲを操作して、例えば、声紋データ１ａの選択欄２１にチェックを入れて、再生ボタン２２を押下する。すると、声紋データ１ａに対応する音声が再生され、ユーザはこの再生音声を聴いて所望の出演者の音声であるか否かを判断する。このとき、放送番組を視聴中である場合には、視聴中の放送番組の音声を一時的にミュートすることで、再生音声が聴き取り易くなるため望ましい。そして、再生音声が所望の出演者の音声であれば、出演者名入力ボタン２３を押下し、図２（Ｂ）に示す出演者リスト３０を表示部にＯＳＤにより表示させる。ここでは、声紋データ１ａの再生音声が所望の出演者の音声として選択されている。
【００２７】
図２（Ｂ）に示す出演者リスト３０は、図２（Ａ）の声紋リスト２０で選択された声紋データ１ａに関連付け可能な出演者名のリスト（ここでは、出演者Ａ〜Ｄ）である。この出演者リスト３０には、選択欄３１、確定ボタン３２、および戻るボタン３３が表示される。ここで、放送番組に出演している出演者名は、その放送番組に関する番組情報等のメタデータから取得することができる。本例の場合、放送番組の出演者名として、出演者Ａ〜Ｄが取得される。ユーザは、出演者リスト３０にリストアップされた出演者Ａ〜Ｄを見て、所望の出演者名（ここでは出演者Ｃ、以下、特定出演者Ｃという）の選択欄３１にリモコンＲを用いてチェックを入れる。
【００２８】
それぞれ選択欄にチェックの入った特定出演者Ｃと声紋データ１ａとはペアリングされ、ユーザがリモコンＲを操作して、出演者リスト３０の確定ボタン３２を押下すると、図２（Ｃ）に示すように、特定出演者Ｃと声紋データ１ａとの関連付け情報が生成される。この生成された関連付け情報は声紋データ１ａと共に声紋登録部３に登録される。このようにして、特定出演者の名前と声紋データとを関連付けて登録することができる。なお、所望の出演者の声紋データを複数登録する場合には、以上の操作を繰り返すことで行うことができる。
【００２９】
ここで、ユーザが図２（Ｂ）の出演者リスト３０を表示させているときに、声紋データ１ａの再生音声が特定出演者Ｃであったか否かを再度確認したい場合がある。そのような場合には、ユーザはリモコンＲを操作して、戻るボタン３３を押下する。これにより図２（Ａ）の声紋リスト２０が再度表示される。そして、ユーザは再度声紋データ１ａの再生音声を聴いて、間違いなければ、出演者名入力ボタン２３を押下して、図２（Ｂ）の出演者リスト３０を表示させ、声紋データ１ａに特定出演者Ｃを関連付けすることができる。また、ユーザは声紋データ１ａの再生音声が特定出演者Ｃでないと判断した場合、他の声紋データ２ａ〜４ａの再生音声を聴いて特定出演者Ｃの音声を判断すればよい。
【００３０】
また、放送番組の出演者名をメタデータから取得できない場合には、手動入力により所望の出演者名を入力するようにしてもよい。この場合、図２（Ａ）の声紋リスト２０から声紋データ１ａの選択欄２１がチェックされ、出演者名入力ボタン２３が押下されると、図２（Ｂ）の出演者リスト３０の代わりに文字入力画面（図示せず）が表示される。そして、ユーザはリモコンＲを操作して、文字入力画面に特定出演者Ｃの名前を入力し、入力を確定すると、図２（Ｂ）の出演者リスト３０の場合と同様に、声紋データ１ａと特定出演者Ｃとが関連付けされて登録される。
【００３１】
次に、上記のようにして声紋データを登録した所望の出演者の音声のみを選択的に音声調整する場合について説明する。図１において、例えば、ユーザがリモコンＲを操作して、登録出演者リストの表示を指示すると、音声調整指示部４は、この指示に応じて、図３に示すような登録出演者リスト４０を表示させる。この登録出演者リスト４０は、上述の関連付け処理により声紋データが関連付けられた出演者名を一覧表示したものである。つまり、声紋登録部３に登録された登録出演者名の一覧である。登録出演者リスト４０には、選択欄４１、実行ボタン４２、およびキャンセルボタン４３が表示される。
【００３２】
そして、ユーザは、リモコンＲを操作して、登録出演者リスト４０から特定出演者Ｃの選択欄４１にチェックを入れ、実行ボタン４２を押下すると、音声調整指示部４に対して、特定出演者Ｃについて音声調整が指示される。音声調整指示部４は、この音声調整指示に応じて、特定出演者Ｃの音声信号にのみ音声調整するように声紋比較部５および第１の音声調整部６に指示する。
【００３３】
声紋比較部５は、本発明の音声特徴量比較部に相当し、音声調整指示部４からの指示に応じて、声紋検出部２で検出される全出演者の声紋データと声紋登録部３で登録された特定出演者の声紋データとを比較し、声紋データが一致する音声信号を出力する。本例では、声紋データが一致する音声信号、つまり、声紋データ１ａに対応する特定出演者Ｃの音声信号が出力される。なお、声紋検出部２による声紋検出は、現在視聴している放送番組全体の不特定多数の全出演者について行われる。そして、声紋検出を行なう時間帯としては、例えば、リモコンＲの操作に基づく開始指示から終了指示までの間、あるいは、電子番組表（ＥＰＧ）による番組予約の開始時刻から終了時刻までの時間帯、あるいは、予め決められた開始時刻から終了時刻までの時間帯などが想定され、声紋検出は、これらの時間帯の放送信号をデコードする毎にリアルタイムで実行される。
【００３４】
上記において、声紋検出部２による全出演者の声紋検出の開始をリモコンＲにより指示する場合、音声調整指示部４は、リモコンＲからの音声調整指示に応じて、特定出演者Ｃの音声信号にのみ音声調整するように声紋比較部５および第１の音声調整部６に指示するが、この際、声紋検出部２に対して声紋検出の開始を指示する。そして、声紋検出部２は、音声調整指示部４からの指示に応じて、放送番組の音声信号から番組の全出演者の声紋検出を開始する。
【００３５】
そして、第１の音声調整部６は、本発明の音声調整部に相当し、声紋比較部５から出力された音声信号、つまり、特定出演者Ｃの音声信号に対してのみ音声調整を行う。ここで音声調整とは、音量および／または音質を調整することをいい、具体的には、音声信号の信号レベルを増幅、減衰させる、あるいは、周波数特性（高音／低音）や、左右のスピーカのバランス、サラウンドのオン／オフなどの調整が考えられる。なお、音声調整のための調整値は、予め決められた設定値を用いてもよいし、あるいは、図４に示すような音声調整用メニュー５０を表示させユーザがその都度設定できるようにしてもよい。
【００３６】
図４に示す音声調整用メニュー５０により音声調整値を設定する場合について説明する。前述したように、ユーザがリモコンＲを操作して、特定出演者の音声調整を指示すると、音声調整指示部４は、このリモコンＲによる指示に応じて、図３の登録出演者リスト４０を表示させる。そしてさらに、ユーザは、リモコンＲを操作して、登録出演者リスト４０から特定出演者Ｃの選択欄４１にチェックを入れ、実行ボタン４２を押下する。この際、音声調整指示部４は、実行ボタン４２の押下に応じて、図４の音声調整用メニュー５０を表示させ、特定出演者Ｃの音声信号に対する音声調整値をユーザに設定させる。
【００３７】
図４の例では、特定出演者Ｃの音声信号に対する音声調整値として、音量、高音（ｍｉｎ−ｍａｘ）、低音（ｍｉｎ−ｍａｘ）、左右のスピーカのバランス、サラウンドのオン／オフ等をユーザが設定できるようになっている。そして、音声調整指示部４は、音声調整用メニュー５０により設定された音声調整値を、特定出演者Ｃの音声信号に対する音声調整の指示と共に第１の音声調整部６に出力する。
【００３８】
第１の音声調整部６では、音声調整指示部４からの音声調整値に基づいて、声紋比較部５から出力された音声信号（特定出演者Ｃの音声信号）に対してのみ音声調整を行う。そして、音声出力部７は、例えば、ステレオスピーカ、あるいは、５．１ｃｈ等のサラウンドスピーカとして例示され、第１の音声調整部６で音声調整された特定出演者Ｃの音声信号に応じた音声のみを出力する。すなわち、この場合、特定出演者Ｃ以外の音声は出力されないため、ユーザは特定出演者Ｃの音声だけを聴くことができる。
【００３９】
また、図１において、差分信号算出部９は、第１の音声調整部６に入力される前の特定出演者Ｃの音声信号と第１の音声調整部６で音声調整された後の特定出演者Ｃの音声信号との差分信号を算出する。そして、音声合成部１０は、差分信号算出部９で算出された差分信号と放送信号に含まれる音声信号とを合成する。音声合成部１０で合成された合成音声信号は、第２の音声調整部１１に入力される。第２の音声調整部１１は、第１の音声調整部６と例えば同等の機能を有しており、音声合成部１０で合成された合成音声信号に対して所定の音声調整を行い、音声出力部７は、第２の音声調整部１１で音声調整された合成音声信号に応じた音声を出力する。なお、第１の音声調整部６と第２の音声調整部１１とを１つの音声調整部として実現してもよい。
【００４０】
本実施形態の音声調整装置１は、特定出演者の音声のみを出力する特定音声モードと、特定出演者の音声を含む全体音声を出力する全体音声モードとを切り替えることができる。すなわち、特定音声モードが設定された場合には、音声出力部７は、音声入力経路を第１の音声調整部６に切り替え、特定出演者の音声のみを出力する。また、全体音声モードが設定された場合には、音声出力部７は、音声入力経路を第２の音声調整部１１に切り替え、特定出演者の音声を含む全体音声を出力する。
【００４１】
このように本発明によれば、所望の出演者の名前が関連付けられた音声特徴量（声紋など）を登録しておき、放送番組の音声信号から検出される全出演者の音声特徴量と所望の出演者の音声特徴量とを比較し、音声特徴量が一致する音声信号のみを抽出することができる。このため、字幕情報を用いることなく、放送番組の所望の出演者の音声に対してだけ音声調整を行うことができる。
【００４２】
図５は、本発明の音声調整装置１による声紋データと特定出演者名との関連付け方法の一例を説明するためのフロー図である。本例では、図１の装置構成に基づいて説明する。まず、ユーザがリモコンＲを操作して、特定出演者の声紋登録を指示すると、声紋検出部２は、この声紋登録指示に応じて、現在視聴中の番組の音声全体から全出演者の声紋データを検出する（ステップＳ１）。そして、関連付け設定部８は、声紋検出部２で検出された全出演者の声紋データを取得し、図２（Ａ）に示したような声紋リスト２０を表示する（ステップＳ２）。そして、関連付け設定部８は、図２（Ａ）の声紋リスト２０から特定出演者の声紋データが選択されたか否かを判定する（ステップＳ３）。なお、声紋リスト２０から特定出演者の声紋データを選択する方法は前述した通りである。
【００４３】
そして、関連付け設定部８は、ステップＳ３において、図２（Ａ）の声紋リスト２０から特定出演者の声紋データが選択されたと判定した場合（ＹＥＳの場合）、図２（Ｂ）の出演者リスト３０を表示させ、ユーザによる操作に従って、特定出演者の名前を入力する（ステップＳ４）。また、ステップＳ３において、図２（Ａ）の声紋リスト２０から特定出演者の声紋データが選択されないと判定した場合（ＮＯの場合）、ステップＳ１に戻り処理を繰り返す。
【００４４】
次に、関連付け設定部８は、ステップＳ３で選択された声紋データと、ステップＳ４で入力された特定出演者の名前とを関連付けて声紋登録部３に登録する（ステップＳ５）。このようにして、特定出演者の名前と声紋データとを関連付けて事前に登録することができる。
【００４５】
図６は、本発明の音声調整装置１による特定出演者の音声調整方法の一例を説明するためのフロー図である。まず、音声調整指示部４は、リモコンＲから特定出演者について音声調整の指示があったか否かを判定し（ステップＳ１１）、特定出演者について音声調整指示があったと判定した場合（ＹＥＳの場合）、音声調整指示部４は、声紋比較部５および第１の音声調整部６に特定出演者について音声調整の開始を指示すると共に、声紋検出部２に全出演者について声紋検出の開始を指示する。声紋検出部２は、この声紋検出の開始指示に応じて、放送番組の音声全体から全出演者の声紋データを検出する（ステップＳ１２）。また、ステップＳ１１において、リモコンＲから特定出演者について音声調整指示がないと判定した場合（ＮＯの場合）、ステップＳ１１で待機状態に移行する。
【００４６】
次に、声紋比較部５は、声紋検出部２により音声全体から検出された全出演者の声紋データと、声紋登録部３に登録された特定出演者の声紋データとを比較する（ステップＳ１３）。なお、本例では、声紋検出部２は、ステップＳ１２での声紋検出の開始指示に応じて、放送番組の音声全体から全出演者の声紋データをデコード毎にリアルタイムで検出しているものとする。
【００４７】
そして、声紋比較部５は、声紋検出部２で検出された全出演者の声紋データのいずれかと、声紋登録部３に登録された特定出演者の声紋データとが一致するか否かを判定し（ステップＳ１４）、一致する声紋データがあると判定した場合（ＹＥＳの場合）、声紋データの一致した音声信号を第１の音声調整部６に出力し、第１の音声調整部６は、声紋データの一致した音声信号に対してのみ音声調整を行う（ステップＳ１５）。ここで、音声調整としては、例えば、音声信号の音量、高音／低音、左右のスピーカのバランス、サラウンドのオン／オフ等が含まれる。また、ステップＳ１４において、一致する声紋データがないと判定した場合（ＮＯの場合）、ステップＳ１２に戻り処理を繰り返す。
【００４８】
そして、音声調整装置１は、前述したように、特定出演者の音声のみを出力する特定音声モードと、特定出演者の音声を含む全体音声を出力する全体音声モードとを切り替えることができる。すなわち、特定音声モードが設定されている場合には、音声出力部７は、音声入力経路を第１の音声調整部６に切り替え、特定出演者の音声のみを出力する。また、全体音声モードが設定されている場合には、音声出力部７は、音声入力経路を第２の音声調整部１１に切り替え、特定出演者の音声を含む全体音声を出力する。
【符号の説明】
【００４９】
１…音声調整装置、２…声紋検出部、３…声紋登録部、４…音声調整指示部、５…声紋比較部、６…第１の音声調整部、７…音声出力部、８…関連付け設定部、９…差分信号算出部、１０…音声合成部、１１…第２の音声調整部、１２…リモコン信号受信部、２０…声紋リスト、２１，３１，４１…選択欄、２２…再生ボタン、２３…出演者名入力ボタン、３０…出演者リスト、３２…確定ボタン、３３…戻るボタン、４０…登録出演者リスト、４２…実行ボタン、４３…キャンセルボタン、５０…音声調整用メニュー。
【図１】
2013121096.tif 000003
【図２】
2013121096.tif 000004
【図３】
2013121096.tif 000005
【図４】
2013121096.tif 000006
【図５】
2013121096.tif 000007
【図６】
2013121096.tif 000008